(57)【要約】  本発明は、閉鎖機構を収容するためのケーシングを備えたフロアスプリングであって、ケーシングがケーシングカバーによって被覆されており、該ケーシングカバーのケーシングに面した内側にシール用の収容溝が設けられている形式のものに関する。従来よりも少数のねじを以てケーシングカバーを固定することができるにも関わらず、ケーシングとケーシングカバーとの間のシール性が保証されているフロアスプリングを提供するために、本発明では収容溝（５）の深さ（ｔ１〜ｔ４）がその全長にわたって変化している。
2007503535.tif 000002
【特許請求の範囲】
【請求項１】
閉鎖機構を収容するためのケーシングを備えたフロアスプリングであって、ケーシングがケーシングカバーによって被覆されており、該ケーシングカバーのケーシングに面した内側にシール用の収容溝が設けられている形式のものにおいて、
収容溝（５）の深さ（ｔ１〜ｔ４）がその全長にわたって変化していることを特徴とする、フロアスプリング。
【請求項２】
収容溝（５）が、比較的大きな深さを備えた領域と比較的小さな深さ（ｔ１〜ｔ４）を備えた領域とを有している、請求項１記載のフロアスプリング。
【請求項３】
個々の領域が互いに連続的に移行している、請求項１又は２記載のフロアスプリング。
【請求項４】
収容溝（５）の深さがねじ穴（ａ′〜ｅ′）の領域において最大になり、隣接する２つのねじ穴（ａ′〜ｅ′）の間の中間域において最小になる、請求項１から３までのいずれか１項記載のフロアスプリング。
【請求項５】
ケーシングカバーがドア等を支持する閉鎖機構の軸を支承しており、更にケーシングカバー（１ａ）が少なくとも１つの縁部域に補強ショルダ（２，３）を有している、請求項１から４までのいずれか１項記載のフロアスプリング。
【請求項６】
補強ショルダ（２）がケーシングカバー（１ａ）の一方の端面に設けられており且つ該端面と整合している、請求項１から５までのいずれか１項記載のフロアスプリング。
【請求項７】
端面に設けられた補強ショルダ（２）が、ケーシングカバー（１ａ）の長手方向中心軸線（Ｌ）に対して真ん中に配置されている、請求項１から６までのいずれか１項記載のフロアスプリング。
【請求項８】
対向位置する２つの横方向側面に２つの別の補強ショルダ（３）が設けられている、請求項１から７までのいずれか１項記載のフロアスプリング。
【請求項９】
ケーシングカバー（１ａ）の横方向中心軸線（Ｑ）が横方向側面に設けられた補強ショルダ（３）を通過している、請求項１から８までのいずれか１項記載のフロアスプリング。
【請求項１０】
横方向側面に設けられた補強ショルダ（３）が、ケーシングカバー（１ａ）の側方に突出した突出部（４）に設けられている、請求項１から９までのいずれか１項記載のフロアスプリング。
【請求項１１】
突出部（４）の長さと補強ショルダ（３）の長さとが等しい、請求項１から１０までのいずれか１項記載のフロアスプリング。
【請求項１２】
端面に設けられた補強ショルダ（２）が直線的な延在部を有している、請求項１から１１までのいずれか１項記載のフロアスプリング。
【請求項１３】
横方向側面に設けられた補強ショルダ（３）が非直線的な延在部を有しており、特に屈曲部を設けられているか又は湾曲されている、請求項１から１２までのいずれか１項記載のフロアスプリング。
【請求項１４】
全ての補強ショルダ（２，３）がケーシングカバー（１ａ）の組込み状態ではケーシングに突入する、請求項１から１３までのいずれか１項記載のフロアスプリング。
【発明の詳細な説明】
【技術分野】
【０００１】
本発明は、閉鎖機構を収容するためのケーシングを備えたフロアスプリングであって、ケーシングがケーシングカバーによって被覆されており、該ケーシングカバーのケーシングに面した内側にシール用の収容溝が設けられている形式のものに関する。
【０００２】
例えばドイツ連邦共和国実用新案第２９５０１９２９．８号明細書から公知のこのような形式のフロアスプリングは、内部にドア閉鎖装置の本来の閉鎖機構が収納されたケーシングを有している。このケーシングからは、操作しようとするドア等を支承する軸が外部に向かって延びている。ケーシングはケーシングカバーによって閉鎖可能であり、このケーシングカバーは有利にはねじを介してケーシングと結合可能であり且つ前記軸を支承する。
【０００３】
このようなケーシングカバーは、例えば図１〜３に上から見た図、下から見た図及び横断面図で示されている。ケーシングカバー１には一定の深さｔを有する収容溝が設けられており、この収容溝には、ケーシングをケーシングカバーによって密閉するためにシールが挿入されてよい。ねじを差し込むためのねじ穴は符号ａ〜ｇ（図２参照）で、個々のねじ穴ａ〜ｇの間隔は符号ｙ１〜ｙ６（図３参照）で示されている。
【０００４】
フロアスプリング形成時の一般的な要求は、ケーシングをなるべく簡単且つ迅速に組み込めるようにするという点にある。この要求を満たすためには、ケーシングカバーをケーシングにねじ締結するねじの数をできるだけ減らす必要があり、これにより、組込み及び後の保守・修理作業にもあまり時間を取られない。
【０００５】
但し、ねじの数は簡単には減らすことができない。従来のケーシングカバーの場合は、ねじを締める際に収容溝に挿入されたシールに対する圧着力が発生する。ねじの数を簡単に減らした場合は、シールに対する前記圧着力が失われて不密性が生じてしまう。
【０００６】
従って本発明の課題は、従来よりも少数のねじを以てケーシングカバーを固定することができるにも関わらず、ケーシングとケーシングカバーとの間のシール性が保証されているフロアスプリングを提供することである。
【０００７】
この課題は冒頭で述べた形式のフロアスプリングにおいて、収容溝の深さがその全長にわたって変化していることによって解決される。
【０００８】
この構成に基づいて、ねじを締める際に収容溝の小さな深さを有する領域に、収容溝のより大きな深さを有する領域よりも高い圧着力が生ぜしめられる。これにより、ねじの相互間隔を拡大する可能性が得られるので、個々のねじが節減され得る。
【０００９】
本発明によるフロアスプリングの別の構成は従属請求項に記載されている。
【００１０】
有利な改良では、収容溝は比較的大きな深さを備えた領域と比較的小さな深さを備えた領域とを有している。部分的に異なる深さで構成されたこの収容溝に基づいて、シールに対する圧着力はねじの間隔に応じて可変であり、その時々の事情に適合され得る。
【００１１】
個々の領域は有利には連続して互いに移行しており、これにより、収容溝の深さにおける段差延いてはシールにおけるノッチ作用が防止される。
【００１２】
本発明による構成に基づいて可能な個々のねじの間の比較的大きな間隔によって、ケーシングカバーの比較的大きな負荷が生ぜしめられ、このことはケーシングカバーの変形を招く恐れがある。これに対抗するために別の有利な改良では、ケーシングカバーの少なくとも１つの縁部域が補強ショルダを有している。この構成に基づいて、ケーシングカバーに曲げに対する比較的大きな抵抗モーメントを付与することが可能なので、高められた圧着力によって生ぜしめられる変形に対抗することができる。
【００１３】
更に別の有利な構成に基づいて、１補強ショルダが端面に設けられており且つ別の補強ショルダが横方向側面に１つずつ設けられていると、特に変形の少ないケーシングカバーの構成が得られる。
【００１４】
以下に、本発明の実施例を図面につき詳しく説明する。
【００１５】
図面にはフロアスプリング全体の内、ここで関心のあるケーシングカバーだけが示されている。
【００１６】
図４には本発明によるケーシングカバー１ａを下から見た図が示されている。同じケーシングカバー１ａを上から見た図が図６に、図４の矢印Ｘの方向から見た図が図５に示されている。図７には、本発明によるケーシングカバー１ａを図４に示した線Ｉ−ＩＩに沿って横断した図が示されている。
【００１７】
ケーシングカバー１ａの組込み状態において該ケーシングカバー１ａの下面には収容溝５が設けられており、この収容溝５には一様な厚さのシール（図示せず）が挿入可能であり、このシールは例えば１本のホースから切断されていてよい。
【００１８】
特に図７から判るように、収容溝５の深さｔ１〜ｔ４は線Ｉ−ＩＩに沿って部分的に変化しているので、収容溝５の比較的大きな深さと比較的小さな深さｔ１〜ｔ４とを備えた領域が生じ、これらの領域は連続して上り勾配で若しくは連続して下り勾配で互いに移行している。つまり、例えばねじ穴ａ′，ｂ′間の収容溝５の深さは深さｔ２へ向かって減少し、ねじ穴ｂ′，ｃ′間ではｔ３の深さに向かって減少するのに対して、ねじ穴ｃ′，ｄ′間の深さｔ１は一定のままである。ねじ穴ｄ′，ｅ′間で収容溝５は再び深さｔ４に向かって減少する。全体的に見て収容溝５の深さはねじ穴ａ′〜ｅ′の領域で最大値に達する一方で、ａ′〜ｅ′の隣接する２つのねじ穴の間のほぼ中間域で最小値に達する。
【００１９】
特に図３と図７との比較から判るように、従来技術によるケーシングカバー１のねじ穴ａ〜ｇ間の間隔ｙ１〜ｙ６は、本発明によるケーシングカバー１ａのねじ穴ａ′〜ｅ′間の間隔ｘ１〜ｘ４よりも小さい。その結果、従来技術によるケーシングカバー１の場合は線Ｉ−ＩＩに沿って７つのねじ穴ａ〜ｇが設けられているのに対して、本発明により構成されたケーシングカバー１ａでは線Ｉ−ＩＩに沿って５つのねじ穴ａ′〜ｅ′しか設けられていない。即ち、本発明による構成に基づいて、同じ長さ区分において２つのねじ穴が節減され得る。
【００２０】
このことは図２と図４との比較でも示されており、この場合、図４に示した本発明によるケーシングカバー１ａにおける本発明による構成に基づいて、図２に示した従来技術によるケーシングカバー１では一番右側に配置されたねじ穴ｆを省くことができた。
【００２１】
ねじ穴ａ′〜ｅ′の比較的大きな間隔に基づいてケーシングカバー１ａに不都合な変形が生じる恐れのないようにするためには、ケーシングカバー１ａの下面から突出する補強ショルダ２，３が設けられている。
【００２２】
これらの補強ショルダ２，３の内の一方、つまり補強ショルダ２は、ケーシングカバー１ａの一方の端面と整合するように形成されており且つケーシングカバー１ａの長手方向中心軸線Ｌに対して真ん中に延在している。補強ショルダ２は直線的な延在部を有しており且つ長手方向中心軸線Ｌに対してほぼ直角に延びている。
【００２３】
他方の２つの補強ショルダ３は、それぞれケーシングカバー１ａの横方向側面に設けられている。補強ショルダ３はケーシングカバー１ａの横方向中心軸線Ｑと交差しており且つ補強ショルダ２のように直線的に延びているのではなく、屈曲部が設けられている。
【００２４】
図示の屈曲部の代わりに、補強ショルダ３は例えば湾曲されて形成されていてもよい。
【００２５】
ケーシングカバー１ａの横方向側面に設けられた補強ショルダ３は、ケーシングカバー１ａの平面内で横方向中心軸線Ｑの方向で外向きに延在している突出部４に形成されている。この場合、補強ショルダ３も突出部の外縁部と整合して延びている。
【図面の簡単な説明】
【００２６】
【図１】従来技術によるケーシングカバーを上から見た図である。
【図２】図１に示したケーシングカバーを下から見た図である。
【図３】図１に示したケーシングカバーを線Ｉ−ＩＩに沿って横断した図である。
【図４】本発明によるケーシングカバーを下から見た図である。
【図５】本発明によるケーシングカバーを図４の矢印Ｘの方向で見た図である。
【図６】本発明によるケーシングカバーを上から見た図である。
【図７】図４に示したケーシングカバーを線Ｉ−ＩＩに沿って横断した図である。
【図１】
2007503535.tif 000003
【図２】
2007503535.tif 000004
【図３】
2007503535.tif 000005
【図４】
2007503535.tif 000006
【図５】
2007503535.tif 000007
【図６】
2007503535.tif 000008
【図７】
2007503535.tif 000009
【国際調査報告】
2007503535.tif 000010
2007503535.tif 000011
2007503535.tif 000012
2007503535.tif 000013